(57)【要約】一列に整列した２本の棒又は管を、ぴったり合う関係で結合し維持し、かつそれらが分離するのを防ぎ、しかし、従来の連結器と比較した場合、減じられた外径及び重さからなる連結器は、一列に整列した一対の管端領域（１０、１１）の周りに置かれ後に沿って相対的に動き得る一対の環状スリーブ管（１３、１４）と、それぞれの管端領域の外周面を掴むボール及び傾斜路配置部（３０、３１）と、１つのスリーブ管（１４）に固定され他のスリーブ管（１３）とねじを切って噛み合いながら環状スリーブ管を取り囲むように、従って、回転によって、管端部をしっかりと掴むようにスリーブ管を引き寄せ合うように適合された割りスリーブ管（２５）とを備える。分割フランジ（１８、１９、２０、２１）及びナット(２４)付きの引っ張りボルト（２３）を備える一時的な締め付け手段は、当初は連結部を引き締めるために与えられ、割りスリーブ管（２５）が軸方向の緊張状態に置かれた後に取り除き得る。【選択図】図１
2004526100.tif 000002
【特許請求の範囲】
【請求項１】
一列に整列した一対の管端領域の周りに置かれ連結器の長手方向軸に沿って相対的に動き得る一対の環状スリーブ管と、それぞれの環状スリーブ管と連携しそれぞれの管端領域の外周面を掴む手段と、前記環状スリーブ管を取り囲むように一般に適合された割りスリーブ管と、前記管端領域上での掴みを保持しそれらが互いに離れるのを防ぐために前記割りスリーブ管を軸方向の緊張状態に置き、前記環状スリーブ管を共に押し付け合わせるための手段と、を備える連結器。
【請求項２】
前記割りスリーブ管は、前記環状スリーブ管の少なくとも一つに対し相対的に軸方向へ調節し得る、請求項１に記載の連結器。
【請求項３】
前記割りスリーブ管は、前記環状スリーブ管の少なくとも一つと、ねじを切って噛み合い、従って、それに相対的に軸方向へ調節し得る、請求項１又は２に記載の連結器。
【請求項４】
前記割りスリーブ管は、前記環状スリーブ管の少なくとも一つに回転するように搭載されるものの、それ上で軸方向に動かせない、先行する請求項のいずれか一項に記載の連結器。
【請求項５】
前記２つの環状スリーブ管の間に配置される第３の環状スリーブ管を含み、かつそれぞれの管端領域の外周面との封じ込め噛み合い部を有する、先行する請求項のいずれか一項に記載の連結器。
【請求項６】
それぞれの環状スリーブ管の掴み手段は、前記２つの環状スリーブ管が共に引き寄せられると、関係する管端領域の外周面を掴むように適合されたボール及び傾斜路配置部である、先行する請求項のいずれか一項に記載の連結器。
【請求項７】
前記ボール及び前記傾斜路配置部の内、前記ボールは管よりも硬い材料から成るように選択され、従って、前記２つの環状スリーブ管が共に引き寄せられると、後に逆戻りできないぎざぎざ部を形成する、請求項６に記載の連結器。
【請求項８】
前記割りスリーブ管は、該割りスリーブ管の回転を可能にするため棒を受け入れる少なくとも一つの凹部を有する、先行する請求項のいずれか一項に記載の連結器。
【請求項９】
前記環状スリーブ管を軸方向へ共に引き寄せる締め付け手段を含み、該締め付け手段は、前記割りスリーブ管がいったん軸方向の緊張状態に置かれると、取り除き得る、先行する請求項のいずれか一項に記載の連結器。
【請求項１０】
前記締め付け手段は、連結部のそれぞれの端部に一つが置かれ、前記２つの環状スリーブ管が共に引き寄せられるときに一時的に連結を保持するための複数の引っぱりボルトを受け入れるように適合された除去可能な一対の分割フランジを備える、請求項９に記載の連結器。
【請求項１１】
前記割りスリーブ管の前記環状スリーブ管の少なくとも一つとのねじ山での噛み合い部は、対抗するねじを切られた部材が噛み合いで保持されるのを確かなものとするために、逆先細り部を有する、請求項３に記載の連結器。
【請求項１２】
前記割りスリーブ管を軸方向の緊張状態に置くための手段は、ねじを切られて前記環状スリーブ管の一つと噛み合うナットである、請求項１に記載の連結器。
【請求項１３】
前記ナットの前記環状スリーブ管の一つとのねじ山での噛み合い部は、対抗するねじを切られた部材が噛み合いで保持されるのを確かなものとするために、逆先細り部を有する、請求項１２に記載の連結器。
【発明の詳細な説明】
【技術分野】
【０００１】
本発明は一列に整列した２本の棒又は管を、ぴったり合う関係で結合し維持するように、かつそれらが分離しないように、適合された連結器に関する。
【背景技術】
【０００２】
典型的には、管連結器は、それぞれの管端領域をしっかりと掴むと共に、複数のボルトによってくっ付けられる比較的大きな径のフランジ付きの複数の部材を含む。
【発明の開示】
【発明が解決しようとする課題】
【０００３】
本発明は、特に、扱いにくくかつ過度に重い連結器の組み立て部品無しで、複数の管端部を互いに連結しなければならない仕様において、そのような連結器の外径及び重さをかなり減らすことを目的とする。
【課題を解決するための手段】
【０００４】
本発明によれば、一列に整列した一対の管端領域の周りに置かれ連結器の長手方向軸に沿って相対的に動き得る一対の環状スリーブ管と、それぞれの環状スリーブ管と連携しそれぞれの管端領域の外周面を掴む手段と、環状スリーブ管を取り囲むように一般に適合された割りスリーブ管と、管端領域上での掴みを保持しそれらが互いに離れるのを防ぐために割りスリーブ管を軸方向の緊張状態に置き、環状スリーブ管を共に押し付け合わせるための手段と、を備える連結器が提供される。
割りスリーブ管は、環状スリーブ管の少なくとも一つに対し相対的に軸方向へ調節し得るようにしても良い。
【０００５】
割りスリーブ管は、環状スリーブ管の少なくとも一つと、ねじを切って噛み合い、従って、それに相対的に軸方向へ調節し得るようにしても良い。
【０００６】
割りスリーブ管は、環状スリーブ管の少なくとも一つに回転するように搭載されるものの、それ上で軸方向に動かせないようにしても良い。
【０００７】
第３の環状スリーブ管が２つの環状スリーブ管の間に配置され、かつそれぞれの管端領域の外周面との封じ込め噛み合い部を有するようにしても良い。
【０００８】
それぞれの環状スリーブ管の掴み手段は、２つの環状スリーブ管が共に引き寄せられると、関係する管端領域の外周面を掴むように適合されたボール及び傾斜路配置部であるようにしても良い。
【０００９】
ボール及び傾斜路配置部の内、ボールは管よりも硬い材料から成るように選択され、従って、２つの環状スリーブ管が共に引き寄せられると、後に逆戻りできないぎざぎざ部を形成するようにしても良い。
【００１０】
割りスリーブ管は、該割りスリーブ管の回転を可能にするため棒を受け入れる少なくとも一つの凹部を有するようにしても良い。
【００１１】
締め付け手段が、環状スリーブ管を軸方向へ共に引き寄せるために提供されても良く、締め付け手段は、割りスリーブ管がいったん軸方向の緊張状態に置かれると、取り除き得る。
【００１２】
締め付け手段は、連結部のそれぞれの端部に一つが置かれ、２つの環状スリーブ管が共に引き寄せられるときに一時的に連結を保持するための複数の引っぱりボルトを受け入れるように適合された除去可能な一対の分割フランジを備えるようにしても良い。
【００１３】
割りスリーブ管の環状スリーブ管の少なくとも一つとのねじ山での噛み合い部は、対抗するねじを切られた部材が噛み合いで保持されるのを確かなものとするために、逆先細り部を有するようにしても良い。
【００１４】
割りスリーブ管を軸方向の緊張状態に置くための手段は、ねじを切られて環状スリーブ管の一つと噛み合うナットであるようにしても良い。
【００１５】
ナットの環状スリーブ管の一つとのねじ山での噛み合い部は、対抗するねじを切られた部材が噛み合いで保持されるのを確かなものとするために、逆先細り部を有するようにしても良い。
【発明を実施するための最良の形態】
【００１６】
本発明の一実施形態が、添付図を参照して、例示として説明されるであろう。
【００１７】
図面を参照して、共通の長手方向軸１２を有する一列に整列した一対の管端部１０及び１１の連結に適用される場合の第１の実施形態にしたがって作られた管連結器は、一対の環状スリーブ管１３及び１４と、弾性のある封じ込めリング１６及び１７を有する１つの分離スリーブ部材１５とから構成される。スリーブ管１３及び１４及びスリーブ部材１５は、(図１に示すように)それらが連結される前に、管上を滑らされ、それらは管連結器の領域でぴったり合った組み立て状態にされる。第１の対の分割（スプリット）フランジ１８及び１９もまたスリーブ管１３後ろの管１０上に置かれ、第２の似た対のフランジ２０及び２１がスリーブ管１４後ろの管１１上に置かれる。図３に示され得るように、フランジ１８、１９、２０及び２１のそれぞれは２つの半円形の半フランジを構成し、それぞれの半フランジはそれの中央円弧の回りに配置され並んだ複数の貫通孔２２を有する。それぞれの対１８、１９、２０及び２１の半フランジは、それらの分割部が９０度だけずれて設定され、それによって、たとえば、フランジ１８の分割部は図１の組み立てに関連して水平方向になっており、それに反して、フランジ１９のそれは垂直方向になっている。
【００１８】
複数のボルト２３及びナット２４はフランジ１８、１９、２０及び２１を互いの方へ引き寄せるのに役立ち、つまり、スリーブ管１３及び１４及びスリーブ部材１５に管接合部の回りでのぴったり合った噛み合いになるように促す。
【００１９】
１つの割り（スプリット）スリーブ管２５は、一般的に円筒形状であり、それの周囲のある位置に長手方向のスリットを有し、一部が環状スリーブ管１４の１つの凹部２６に置かれる。凹部２６は、２７で、たとえば、それの内部端で外方向に先細になる壁形状であり、つまり、割りスリーブ管２５の１つの内部方向に大きくなるボス２７ａを凹部２６内に固定する。スリーブ管２５の左手端領域は、図１で見ると、２９で内側にねじを切られており、環状スリーブ管１３の外側のねじ山２８と噛み合っている。
【００２０】
環状スリーブ管１３及び１４のそれぞれは、それの周辺周りに、複数の傾斜ボールスロット３０を有し、一個のボール３１が各スロット内３０で動いていく。ボール３１は１つのバネ３２によって連結部の中央線に関して外方向へ追いやられる。それ故、それぞれのボール３１が対応するスロット３０と管壁の外周面との間に閉じ込められるようになり、それによって、環状スリーブ管が組み立て物の横断中央線へ向けて引き寄せられると、しっかりと掴む働きがボール３１によって管壁上に為される事が分かるであろう。
【００２１】
ボール３１の材料は管壁よりも硬いものになるように選ばれ、それで、連結部が組み立てられると、ボール３１は管壁内に食い込む傾向になり、つまり、管が分離し合うのを防ぐ。
【００２２】
説明する目的のためのトミー棒の紹介のため３５で図解されるように、割りスリーブ管２５は、それの周辺周りの多くの位置でくり抜かれる。説明する更なる目的のため、更なる穴部３６が内部にねじ切りされる。
【００２３】
図２を参照して、ねじ山２８及び２９が１0度の逆先細角で与えられ、連結が強いと、ねじ山が噛み合いのままである事を確実にする事が分かるであろう。このことはスリーブ管２５の割り性の点で必要である。
【００２４】
連結部の組み立てでは、いったん部品が管端部に置かれ、両管が一緒にされると、環状スリーブ管１３及び１４及びスリーブ部材１５をぴったり合った接触状態で管連結器の中央線に向けて引き寄せるように初期にボルト２３がきつく締められる。このことは、ボール３１に管壁を掴むようにさせる効果を持つ。つまり、両管が分離するのを防ぐ。この組み立て段階の間、割りスリーブ管２５は、両ねじ山の傾斜した歯の爪車（ラチェット）効果のためにかつ割りスリーブ管２５の割り性のおかげで、環状スリーブ管１３の外側のねじ山を踏みにじって乗り越えるであろう。
【００２５】
連結部は、連結部の部品での如何なるたるみもが奪い取られるまで（一本又はそれ以上のトミー棒を穴部３５内に挿入することによって）割りスリーブ管２５を回転することによって、最終的にしっかりと締め付けられる。いったん、このように連結部がしっかりと締め付けられると、環状スリーブ管１３及び１４及びスリーブ部材１５並びに割りスリーブ管２５によって定まる減らされた重さ及び減らされた径の連結部にしておくため、フランジ１８、１９、２０及び２１、ボルト２３並びにナット２４を取り除くことができる。
【００２６】
連結部を分解するには、ねじを切られた割りスリーブ管から負荷を取り上げるため、雌ねじが切られた穴部３６に挿入されるジャッキねじを用いて割りスリーブ管を取り除き得るようにする前に、一時的なボルト及びフランジを再度取り付けかつ締め付けることが必要である。
【００２７】
図４を参照して、他に取り得る配置において、割りスリーブ管４０はそれの両端部で固定される。それらの端部の一方は環状スリーブ管４２の１つの環状の凹部４１にあり、他方は他の環状スリーブ管４５とねじを切って噛み合っている１つのナット４４の１つの環状の凹部４３にある。この場合、ナット４４は、１つ又は更なる数のトミー棒が締め付けのために挿入されても良い複数の穴部４６を備える。この実施形態では、割りスリーブ管４０は、環状スリーブ管の一方との割りスリーブ管４０のねじを切られた関係によってではなく、環状スリーブ管４５とねじを切って次々と噛み合っているナット４４との割りスリーブ管４０の固定された関係によって、緊張（テンション）の下に置かれている事が分かるであろう。割りスリーブ管４０を緊張の下に置くためにナット４４を用いて連結部が最終的にしっかりと締め付けられる前に、もう一度、連結部をあらかじめ組み立てるために外部フランジ及びボルトが使われる。
【００２８】
もう一度、割りスリーブ管４０は、連結部を分解するとき割りスリーブ管４０の除去のためのジャッキねじの挿入のため、雌ねじが切られた多くの穴部４７を有し、スリーブ管４０での緊張は取り除き得るフランジ及びボルトの再導入によって開放される。
【００２９】
上記の詳細に本発明を限定するものではない。たとえば、がんじょうな棒（ロッド）、たとえば駆動軸（ドライブシャフト）が連結器によって結合されても良く、それによって、最小の半径の程度でありかつ釣り合い要求が減らされた連結器が得られる。割りスリーブ管を軸方向へ緊張させるための如何なるぴったりと合う連結手段が与えられても良く、割りスリーブ管を複数の軸方向つなぎ材によって置き換えても良い。
【図面の簡単な説明】
【００３０】
【図１】本発明の第１の実施形態に係る、一列に整列した一対の管端部の連結に適用される場合の管連結器の部分断面図である。
【図２】図１に示される連結器の組み立ての一部の拡大された概略断面図である。
【図３】図１の連結器の端面図である。
【図４】第２の実施形態に係る、図１に類似した図である。
【国際公開パンフレット】
2004526100.tif 000003
2004526100.tif 000004
2004526100.tif 000005
2004526100.tif 000006
2004526100.tif 000007
2004526100.tif 000008
2004526100.tif 000009
2004526100.tif 000010
2004526100.tif 000011
2004526100.tif 000012
2004526100.tif 000013
2004526100.tif 000014
2004526100.tif 000015
2004526100.tif 000016
2004526100.tif 000017
2004526100.tif 000018
2004526100.tif 000019
2004526100.tif 000020
【手続補正書】
【提出日】平成14年11月12日(2002.11.12)
【手続補正１】
【補正対象書類名】特許請求の範囲
【補正対象項目名】請求項１
【補正方法】変更
【補正の内容】
【請求項１】
一列に整列した一対の管端領域の周りに置かれ連結器の長手方向軸に沿って相対的に動き得る一対の環状スリーブ管と、それぞれの環状スリーブ管と連携しそれぞれの管端領域の外周面を掴む手段と、前記環状スリーブ管を取り囲むように一般に適合された長手方向割りスリーブ管と、前記管端領域上での掴みを保持しそれらが互いに離れるのを防ぐために前記割りスリーブ管を軸方向の緊張状態に置くため、かつ前記環状スリーブ管を共に押し付け合わせるための手段と、を備える連結器。
【手続補正２】
【補正対象書類名】明細書
【補正対象項目名】０００４
【補正方法】変更
【補正の内容】
【０００４】
本発明によれば、一列に整列した一対の管端領域の周りに置かれ連結器の長手方向軸に沿って相対的に動き得る一対の環状スリーブ管と、それぞれの環状スリーブ管と連携しそれぞれの管端領域の外周面を掴む手段と、環状スリーブ管を取り囲むように一般に適合された長手方向割りスリーブ管と、管端領域上での掴みを保持しそれらが互いに離れるのを防ぐために割りスリーブ管を軸方向の緊張状態に置くため、かつ環状スリーブ管を共に押し付け合わせるための手段と、を備える連結器が提供される。




【国際調査報告】
2004526100.tif 000021
2004526100.tif 000022
2004526100.tif 000023